(57)【要約】      （修正有）【課題】ポケットの高さよりもはるかに小さい高さを有する被収容物がポケットの奥に収容されている場合、被収容物をポケットから取り出すために利用者の手指をポケットの奥に挿入すること無く、取り出し容易なファイルを提供する。【解決手段】ポケット３０は、ポケットシートの上端（開口端３６）が、ファイルの上下方向においてベースシートの上端とベースシートの下端よびポケットシートの下端の間に位置し、ポケット３０の高さが低く設定される。【選択図】図７
2017039245.tif 000002
【特許請求の範囲】
【請求項１】
表紙体とこれに取り付けられるポケット体とからなるファイルであって、
前記ポケット体は、平面シート状に形成されたベースシートと、これに重合してポケットを形成するためのポケットシートと、を有し、
前記ポケットは、前記ポケットシートの端部であって前記ベースシートとの間で閉じられた閉塞端と閉じられない開口端とにより袋状を呈することにより形成され、前記開口端とこれと最も遠くに位置するポケットシートの端部である下端との間の距離は、前記ポケットシートの下端が接するベースシートの位置とこれと最も遠くに位置するベースシートの端部である上端との間の距離よりも短い、
ファイル
【請求項２】
表紙体とこれに取り付けられるポケット体とからなるファイルであって、
前記ポケット体は、略四角形状に形成されたベースシートと、これに重合してポケットを形成するための略四角形状のポケットシートと、を有し、
前記ポケットは、前記ポケットシートにおいて略四角形の一辺に相当する端部がベースシートとの間で閉じられない開口端を形成し、当該開口端の両端にそれぞれ接する２つの辺に相当する端部である側端と前記開口端と対向する位置にある端部である下端とがそれぞれ対応するベースシートの各端部との間で閉じられて閉塞端を形成し、これら開口端と閉塞端とにより袋状を呈することにより形成され、前記ポケットシートの各側端は前記ベースシートの各側端よりも短く形成された、
ファイル。
【請求項３】
前記表紙体は、前記ポケット体を取り付けるための装着部を有し、
前記ポケット体は、前記装着部に装着される為の被装着部を有し、
前記各閉塞端は、前記ポケットシートと前記ベースシートとが接合されて形成され、そのうちの一つは前記被装着部の近傍に配された、
請求項１又は請求項２に記載のファイル。
【請求項４】
前記表紙体は、前記ポケット体を取り付けるための装着部を有し、
前記ポケット体は、前記装着部に装着される為の被装着部を有し、
前記装着部および被装着部は、それぞれ合成樹脂により形成された前記表紙体と前記ポケットシートと前記ベースシートとが溶着されて成り、この溶着箇所がポケット体の各閉塞端のうちの一端を形成する、
請求項１又は請求項２に記載のファイル
【請求項５】
前記ポケットシートは１枚のシートが折り曲げられて折曲線が形成され、当該折曲線が前記ポケットの一の閉塞端を形成し、前記折曲線を前記ベースシートの端部に添えた状態で前記ポケットシートのそれぞれの端部をベースシートに接合して他の閉塞端を形成することで、前記ベースシートを挟んでその表裏に２のポケットを有するポケット体が形成された、
請求項１乃至４の何れかに記載のファイル。
【発明の詳細な説明】
【技術分野】
【０００１】
本発明は、書類などの被収容物を収容するためのポケットを有し、当該ポケットが表紙に取り付けられたファイルであって、被収容物のポケットに対する出し入れを容易にしたファイルに関する。
【背景技術】
【０００２】
従来のポケットが表紙に装着されたファイルは、例えば特開平５−１７７９７０号や特開２００４−２１６５９５号に開示されるように、薄肉状に形成された合成樹脂製のシートにより一辺に開口端を有する四角形の袋体が形成され、当該袋体が合成樹脂製の表紙に対して熱溶着や超音波溶着により装着されている。
【先行技術文献】
【特許文献】
【０００３】
【特許文献１】特開平５−１７７９７０号公報
【特許文献２】特開２００４−２１６５９５号公報
【発明の概要】
【発明が解決しようとする課題】
【０００４】
このようなファイルのポケットは、四角形状を呈していてその上辺に相当する端部に開口端が形成され、当該上辺と対向する位置にある下辺に相当する下端と、それら各辺にともに接する２つの側辺に相当する側端と、にそれぞれ閉塞端が形成された袋体からなり、当該袋体の所定の箇所で、その開口端から下端に向けて連続して表紙に対して接合されている。
【０００５】
特許文献１に記載の発明は、ポリプロピレンなどの合成樹脂シートにより四角形状に形成されたポケット（リーフ３）と表紙（表紙部材２）とが、その四角形の上辺の略中央と下辺の略中央とを結ぶ線分上に連続して溶着されて、その溶着された箇所を境界として隣接する２のポケットが形成されたものであり、このポケットに収納する書類などの被収容物の幅よりも一方のポケットの幅（境界とこれと対向する位置にある閉塞端である側端との距離）がわずかに大きく、かつ被収容物の高さよりもポケットの高さ（開口端から下端までの距離）がわずかに大きく設定され、収容された被収容物がポケットの中でその位置が大きくずれることが無いため、このようなポケットは被収容物を確実に収容する。
【０００６】
特許文献２に記載の発明は、ポケットを表紙に溶着するにあたり開口端近傍に溶着しない箇所を設けたものである。このような形態とすることにより、ポケットの開口端及びその近傍では第１のポケットとこれと隣り合う第２のポケットとの間に境界線を有さないことになり、この位置において開口端がポケットの幅よりも広いものとして扱うことができることから、特許文献２第７図に示されるように、ポケットの幅に近い幅を有する被収容物をポケットの開口端から下端（底縁３８）に向けて押し込むに際し、その軌道は、開口端から下端に向けた略直線方向以外の方向にも幾らか許容される。
【０００７】
これらの発明は、主にポケットの幅および高さと被収容物の幅および高さとが近い場合を想定してなされたものであり、このような場合に被収容物をポケットに確実に収容するのに好適なものであるが、ポケットの高さよりもはるかに小さい高さを有する被収容物を収容する場合、そのような被収容物がポケットに収容されると、被収容物の端部と開口端との距離が大きくなる、換言すると被収容物がポケットの奥に位置することになるため、被収容物をポケットから取り出すためには利用者の手指をポケットの奥に挿入しなくてはならず、取り出しづらいばかりか、このような場合に利用者が過誤によりポケットを破ってしまう虞がある。
【０００８】
これに加えて、これらの発明のポケットは、その開口端を形成する２枚のシートのそれぞれの端部が略同一線分上に位置するため、被収容物を開口端から下端に向けて押し込んでこれをポケットに収容する場合、被収容物を押し込む前に、利用者の手指によって開口端を形成する２枚のシートのそれぞれの端部を離して開口端を開口させる作業を要する。
【０００９】
本発明は、ポケットが表紙に装着されたファイルにおいて、被収納物を収納したり取り出したりするに際して利用者の負担を軽減することを目的とするものである。
【課題を解決するための手段】
【００１０】
本発明のファイルは、表紙体とこれに取り付けられるポケット体とからなるファイルであって、前記ポケット体は、平面シート状に形成されたベースシートと、これに重合してポケットを形成するためのポケットシートと、を有し、前記ポケットは、前記ポケットシートの端部であって前記ベースシートとの間で閉じられた閉塞端と閉じられない開口端とにより袋状を呈することにより形成され、前記開口端とこれと最も遠くに位置するポケットシートの端部である下端との間の距離は、前記ポケットシートの下端が接するベースシートの位置とこれと最も遠くに位置するベースシートの端部である上端との間の距離よりも短い。
【００１１】
このようなポケット体は、略四角形状に形成されたベースシートと、これに重合してポケットを形成するための略四角形状のポケットシートと、を有し、前記ポケットは、前記ポケットシートにおいて略四角形の一辺に相当する端部がベースシートとの間で閉じられない開口端を形成し、当該開口端の両端にそれぞれ接する２つの辺に相当する端部である側端と前記開口端と対向する位置にある端部である下端とがそれぞれ対応するベースシートの各端部との間で閉じられて閉塞端を形成し、これら開口端と閉塞端とにより袋状を呈することにより形成され、前記ポケットシートの各側端は前記ベースシートの各側端よりも短く形成されている。
【００１２】
ポケットシートの各側端がベースシートの各側端よりも短いことにより、ポケットシートとベースシートとのそれぞれの下端の位置を合わせてポケット体が形成された状態において、ベースシートの下端と対向する位置にある端辺である上端とポケットシートの開口端との位置がずれる、換言すると、ポケットシートの開口端は、ベースシートの上端よりも下端に寄った位置に配されることになる。
【００１３】
前記表紙体は、前記ポケット体を取り付けるための装着部を有し、前記ポケット体は、前記装着部に装着される為の被装着部を有し、前記各閉塞端は、前記ポケットシートと前記ベースシートとが接合されて形成され、そのうちの一つは前記被装着部の近傍に配されている。
【００１４】
また、表紙体に装着部である綴じ具が設けられ、略四角形のポケット体に設けられた被装着部である綴じ孔に綴じ具の櫛やリングを通すことで表紙体とポケット体とが装着されるのであれば、ポケットシートの側端のうちの一方が綴じ孔の近傍に配され、他方が、ポケットシートにおいて一方の側端と対向する位置に配される。
【００１５】
前記表紙体は、前記ポケット体を取り付けるための装着部を有し、前記ポケット体は、前記装着部に装着される為の被装着部を有し、前記装着部および前記被装着部は、それぞれ合成樹脂により形成された前記表紙体と前記ポケットシートと前記ベースシートとが溶着されて成り、この溶着箇所がポケット体の各閉塞端のうちの一端を形成する。
【００１６】
被装着部がポケット体の上端から下端に向けて連続して装着部に溶着されて成るのであれば、ポケットシートの側端のうちの一方が被装着部を兼ね、他方がポケットシートにおいてその側端と対向する位置に配されていてもよく、さらに、被装着部がポケット体の上端の左右方向略中央から下端の左右方向略中央に向けて連続して装着部に溶着されて成るのであれば、ポケット体は被装着部を境界として隣接する２のポケットを形成することになり、このような場合、被装着部がそれら２のポケットのそれぞれの一の閉塞端を形成する。
【００１７】
前記ポケットシートは１枚のシートが折り曲げられて折曲線が形成され、当該折曲線が前記ポケットの一の閉塞端を形成し、前記折曲線を前記ベースシートの端部に添えた状態で前記ポケットシートのそれぞれの端部をベースシートに接合して他の閉塞端を形成することで、前記ベースシートを挟んでその表裏に２のポケットを有するポケット体が形成されている。
【００１８】
ベースシートとポケットシートがともに略四角形状に形成されているのであれば、ポケットシートの折曲線を下端としてこれと接する他の２の端部を側端としてベースシートの各端部に接合してもよく、折曲線を一方の側端として、これと対向する位置にある他の側端と下端とをそれぞれベースシートに接合してもよい。
【００１９】
このように、１枚のベースシートを挟むように１枚のポケットシートを折り曲げて両者を接合すれば、１枚のベースシートを介してその表裏にそれぞれポケットを形成することができる。このようにするのであれば、例えばベースシートとして厚い素材を採用し、ポケットシートとして薄い素材を採用することで、ベースシートが硬い台紙となるため、例えば、紙製の被収容物が収容されたときに意図せず折曲がってしまうことを防ぐとともに、ポケットシートが薄いため利用者にとって被収容物の出し入れがしやすいといったファイルを提供することができる。
【００２０】
ポケットシートとベースシートとがともに合成樹脂材料により形成されているのであれば両者は溶着により装着されてポケットが形成されるのが好適であるが、ベースシートおよびポケットシートの硬さや厚み、手触りなどを異ならしめることなどを目的として両者が異なる材料により形成されていて溶着に適さないのであれば、両者が接着により装着されてポケットが形成されてもよい。
【００２１】
表紙体とベースシートとがともに合成樹脂材料により形成されているのであれば、装着部と被装着部とは溶着により装着され、さらに、ポケットシートも合成樹脂材料により形成されているのであれば、ベースシートとポケットシートとが溶着により接合された閉塞端のうちの一端が被装着部を兼ねてもよい。
【００２２】
また、装着部として表紙体に綴じ具を設け、綴じ具に綴じられるための被装着部として前記ベースシートに綴じ孔を形成し、ポケット体と表紙体とを綴じ具を介して装着するようにしてもよい。
【００２３】
本発明のファイルのポケットは、少なくとも一端が閉じられずに開口端を形成する袋状を呈しているため、当該ポケットに書類などの被収容物を収容したとき、利用者がファイルを持つ向きによっては当該被収容物が開口端を通ってポケットから離脱しやすいが、本発明のファイルの表紙体が表表紙と裏表紙とを有するものであれば、ファイルを閉じた状態で表表紙と裏表紙とにおいてポケットの開口端に対応する側端を閉じるように固定すれば、ポケットに収納された被収容物が開口端を通ってポケットから離脱する経路が塞がれることで被収納物がポケットから離脱することを防ぐことができる
【００２４】
具体的には、表表紙と裏表紙とのうちいずれかに紐状物を設け、ファイルを閉じた状態で当該紐状物を他の表紙の外面に接するように配する。このような構成とすれば、前記紐状物が対向する表表紙と裏表紙とを跨ぐため、このような状態のファイルが開くのを防ぐことの他、被収容物が開口端を通ってポケットから離脱する経路が前記紐状物により塞がれることになり、これにより被収容物がポケットから離脱することが防がれる。
【００２５】
さらに、表表紙においてポケットの開口端に対応する位置にある一側端と、裏表紙においてポケットの開口端に対応する位置にある一側端と、が係合するようにファスナーを形成してもよい。この構成によれば、ファイルを閉じでさらにファスナーを閉じることにより、被収容物が開口端を通ってポケットから離脱する経路が前記紐状物により塞がれることになり、これにより被収容物がポケットから離脱することが防がれる。
【発明の効果】
【００２６】
本発明に拠れば、ポケットが表紙に装着されたファイルにおいて、被収納物を収納するにあたりポケットの開口部を開きやすく、ポケットの奥に収容された被収容物を利用者が自らの手指によって取り出す際にはその手指が入りやすいように形成されたファイルを提供することができる。
【００２７】
ベースシートの各端部とポケットシートとの各端部が接合や折り曲げなどにより閉塞端を形成し、これを形成しない少なくともそれぞれの一端が開口端を形成し、ベースシートの開口端とポケットシートの開口端とが略同一線分上に位置する場合、被収容物を開口端から下端に押し込んでポケットに収容するに際し、それぞれの開口端を離して開口させなければならないが、被収容物の端部をこれら開口端に当接させることにより開口させるのは、各シートおよび被収容物が薄ければ薄いほど困難であり、現実的には、被収容物を押し込む前に、利用者の手指によって開口端を形成する２枚のシートのそれぞれの端部を離して開口端を開口させる作業を要する。
【００２８】
これに対し、本発明のポケット体は、ポケットシートの開口端がベースシートの下端とこれと対向する位置にある端辺である上端との間に位置するため、ベースシートの開口端に相当する端部が存在せず、すなわちベースシートの上端とポケットシートの開口端とが略同一線分上に位置しないため、被収容物をベースシート上で上端から下端に向けて滑動させるとこれがポケットシートの開口端の下に潜りこむため、利用者の手指により開口端を開口させなくとも被収容物がポケット体に収納される。
【００２９】
さらに、ファイルを閉じた状態で表表紙と裏表紙とにおいてポケット体の開口端に対応する側辺を閉じるように固定すれば、ポケット体に収納された被収容物が開口端を通ってポケット体から離脱する経路が塞がれることで被収納物がポケット体から離脱することを防ぐことができるファイルを提供することができる。
【図面の簡単な説明】
【００３０】
【図１】ファイルを開いた状態を示す図
【図２】表紙体を示す図
【図３】ポケット体を示す図
【図４】１枚のシートにより設けられたポケット体の説明図
【図５】ベースシートとポケットシートとが接合されて成るポケット体の説明図
【図６】図５に示されるポケットシートの展開図
【図７】被収容物をポケット体に挿入する状態を示す図
【図８】小さい被収容物を取り出すための動作を示す図
【図９】ファイルを閉じて表紙に紐状物をかけた状態を示す図
【発明を実施するための形態】
【００３１】
以下、図面を参照しながら本発明の実施形態を説明する。なお、本明細書において、図１において視認される上下方向を「ファイルの上下方向」とし、同様に視認される左右方向を「ファイルの左右方向」とし、上下方向の長さを「高さ」、左右方向の長さを「幅」とする。
【００３２】
図１及び図２に示されるファイル１は、表紙体２が表表紙２１と背表紙２２と裏表紙２３とがヒンジ２４を介して連設されて成り、さらに図１に示すように表紙体の一面にポケット体３が溶着などの方法により接合されているものである。
【００３３】
図２は、ポケット体３が溶着される前の表紙体２を示す図である。表紙体２は、表表紙２１、背表紙２２、裏表紙２３のいずれか、好適には背表紙の左右方向中央にポケット体３を装着するための装着部２５を有し、表紙体２とポケット体３とが溶着により装着されるのであれば、溶着により生じた溶着跡である装着部２５が上下方向に連続して配される。なお、図２は、表紙体２とポケット体３とが溶着される前の状態を示す図であるから本来であればここに装着部２５が現出しないが、説明の都合上、装着部２５が現出した状態を示したものである。また、表紙体２とポケット体３とが溶着により装着される方法に限られるものではなく、図２において装着部２５が示される位置に図示しない綴じ具を設け、ポケット体３と表紙体２とを綴じ具を介して装着するようにしてもよい。
【００３４】
図３は、表紙体２に溶着される前のポケット体３を示す図である。ポケット体３は、例えば合成樹脂製のシートにより形成され、ベースシート３１の左右方向略中央に、表紙体２に装着される被装着部３３を有し、さらにベースシート３１に対してポケットシート３２が重合されて、ポケットシート３２の左右端がベースシートに溶着されるとともにその左右方向略中央がベースシート３１溶着されて被装着部３３の一部を形成することで、その重合された位置にポケット３０が形成される。この場合、ポケット３０は、被装着部３３を挟んで左右に隣接される。なお、図３は、表紙体２とポケット体３とが溶着される前の状態を示す図であるから本来であればここに被装着部３３が現出しないが、説明の都合上、被装着部３３が現出した状態を示したものである。また、表紙体２とポケット体３とが溶着により装着される方法に限られるものではなく、図３において被装着部３３が示される位置に図示しない綴じ孔を設け、表紙体２にも設けられた綴じ具の櫛を綴じ孔に挿通することでポケット体３と表紙体２とを装着するようにしてもよい。
【００３５】
図４に示されるように、ポケット体３は、ベースシート３１とポケットシート３２とが折曲線３４を介して１枚のシートにより形成されてもよい。この場合、折曲線３４はベースシート３１の下端３１２とポケットシート３２の下端３２２とを兼ね、ポケットシート３２において折曲線３４と対向する位置にある上端３２１を開口端３６とし、下端３１２、３２２と接する左右の側端においてベースシート３１とポケットシート３２とを接合して閉塞端とするが、これに限られず、折曲線３４を下端３１２、３２２とせずに左右の側端のうち何れかとして他の端部を適宜設定してもよい。
【００３６】
図５および図６に示されるように、ポケットシート３２に折曲線３５を設けて２つ折りにした状態で、この折曲線３５をポケットシート３２の下端３２２として、それと対向する２つの端部をそれぞれポケットシート３２の上端３２１として、ベースシート３１の下端３１２を折曲線３５に添接してポケットシート３２を折り曲げながら下端３２２と接する左右の側端においてベースシート３１とポケットシート３２とを接合して閉塞端とし、ポケットシート３２のそれぞれの上端３２１を接合せずに開口端３６とすると、ベースシート３２を介してその表裏にそれぞれポケット３０が形成される。なお、これに限られず、左右の側端のうち何れかを折曲線３５として、他方の側端と下端とにおいてベースシート３１とポケットシート３２とを接合して閉塞端としてもよい。なお、接合の方法は、熱溶着や超音波溶着のほか、接着剤などでもよい。これらの方法はベースシート３１やポケットシート３２の材質の特徴に応じて選択されるべきものである。
【００３７】
図７に示されるポケット３０は、ポケットシート３２の上端３２１（開口端３６）が、ファイルの上下方向においてベースシート３１の上端３１１とベースシート３１の下端３１２およびポケットシート３２の下端３２２との間に位置する。
【００３８】
このような構成とすることにより、ベースシート３１の上端３１１とポケットシート３２の上端３２１（開口端３６）とがファイル１の上下方向において同じ位置にない、すなわち両者が略同一線分上に位置しないから、被収容物４を開口端３６からポケットシートの下端３２２に向けて押し込んでポケットに収容するに際し、被収容物４をベースシート３１の表層で上端３１１から下端３１２に向かう方向に滑動させるとこれが開口端３６の位置でベースシート３１の表層とポケットシート３２の下層との間に潜りこむため、利用者の手指により開口端を開口させなくとも被収容物４がポケット体に収納される。
【００３９】
これに加えて、ファイル１の高さやベースシート３１の高さよりもその幅や高さがはるかに小さい被収容物４１をポケット３０に収容した場合、ベースシート３１の高さとポケットシート３２の高さが略同じ、換言すると、ベースシート３１の上端３１１とポケットシート３２の上端３２１（開口端３６）とがファイル１の上下方向において略同じ位置にあると、このような被収容物４をポケット３０から取り出すに際し、利用者の手指が開放端３６を大きく越えてポケット３０の奥まで至らねばならず、取り出しづらいばかりか、このような場合に利用者が過誤によりポケットを破ってしまう虞があるが、ポケットシート３２の上端３２１（開口端３６）がファイルの上下方向においてベースシート３１の上端３１１とベースシート３１の下端３１２およびポケットシート３２の下端３２２との間に位置していれば、ポケット３０の高さが低く設定されることになるので、このような問題を軽減させることになる。
【００４０】
他方、ポケット３０の高さがあまりにも低いと、ポケットシート３２の上端３２１（開口端３６）と下端３２２との距離よりも高い被収容物４をポケット体に収容したとき、その被収容物４において開放端３６からポケット３０の外にはみ出す部分の面積が大きくなり、収容の安定性を欠くことになる。
【００４１】
これを踏まえ、被収容物４において開放端３６からポケット３０の外にはみ出す部分の面積が大きくなりすぎず、且つファイル１の高さよりもはるかに低い高さおよび幅を有する被収容物４を取り出す際の前述の問題点を軽減させることができるポケットシート３２の好適な高さとして、概ね２００mm程度とした。これは、被収容物４がＡ４サイズの紙葉であってファイル１やベースシート３１の高さがそれを許容する程度のもので、はるかに小さい被収容物４１として名刺を想定した場合、図８に示すように、利用者の手５の親指の付け根の位置が開口端３６の近傍にあるときにその利用者の最も長い手指が名刺の端部に触れることができる程度の長さであって、且つ製造に際して計測しやすい値であることから選定されたものであるが、これに限られるものではない。
【００４２】
地球上においてポケット３０に被収容物４を収容してファイル１を閉じた状態で、開口端３６を地球の中心に向けたとき、被収容物４が地球の重力に引かれてポケット３０から離脱する、いわゆる‘落ちる’と表される状態が生じることが考えられる。これを防ぐべく、図９に示すように、表表紙２１および裏表紙２３の少なくともいずれかに紐状物６を設けてもよい。例えば表表紙２１に紐状物６を設けた場合、図２の状態において裏表紙２３を表表紙２１に対して相対的に回動して両者が重合するようにファイルを閉じて、紐状物６を伸ばして裏表紙２３の上層に掛けて両者を固定すると、紐状物６は、ポケット３０の開口端から被収容物４がポケット３０から離脱する経路に位置する各表紙の端部を跨ぐことになり、この経路が塞がれることで被収容物４の離脱を防止することができる。
【００４３】
被収容物４がポケット３０から離脱するのを防止する手段は紐状物６に限られるものではなく、ポケット３０の開口端から被収容物４がポケット３０から離脱する経路に位置する各表紙の端部に両者を繋ぐ図示しないファスナーを設けてもよい。
【００４４】
以上の通り、本発明によれば、ポケット３０は、利用者の手指により開口端３６を開口させることなく被収容物４を開口端３６からポケットシートの下端３２２に向けて押し込むだけで被収容物４がポケット３０に収容され、さらに、ファイル１の面積に比べてはるかに小さい被収容物４１が収容された場合において、それを取り出しやすい好適な高さ（開口端３６から下端３２２までの距離）を有することから、非常に使い勝手の良いファイルを提供することができる。
【符号の説明】
【００４５】
１  ファイル
２  表紙体
２１  表表紙
２２  背表紙
２３  裏表紙
２４  ヒンジ
２５  装着部
３  ポケット体
３０  ポケット
３１  ベースシート
３１１  上端（ベースシート）
３１２  下端（ベースシート）
３２  ポケットシート
３２１  上端（ポケットシート）
３２２  下端（ポケットシート）
３３  被装着部
３４  折曲線
３５  折曲線
３６  開口端
４  被収容物
４１  はるかに小さい被収容物
５  利用者の手
６  紐状物
【図１】
2017039245.tif 000003
【図２】
2017039245.tif 000004
【図３】
2017039245.tif 000005
【図４】
2017039245.tif 000006
【図５】
2017039245.tif 000007
【図６】
2017039245.tif 000008
【図７】
2017039245.tif 000009
【図８】
2017039245.tif 000010
【図９】
2017039245.tif 000011